(57)【要約】  【課題】  燃料タンクの設置スペース内に設置可能であり、しかも屋根設置のための基礎工事を一切不要とし、比較的簡便な取付け工事によって即座に設置することができる屋外タンク用の屋根を提供する。  【解決手段】  屋根本体２の左右端近傍の適所に、下端側にタンク本体５１とその支持脚５７，５７とを連結しているボルト・ナット５８，５８によって共締め連結可能とする取付け機構３１を形成した左右の連結支柱３，３の各上端側を連結してなる燃料タンク用保護屋根１である。【選択図】    図３
2005221186.tif 000002
【特許請求の範囲】
【請求項１】
略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、装着の対象となるタンク本体の平面形状を越える面積、形状を確保した天板を有する屋根本体を設け、当該屋根本体の左右端近傍の夫々適所に、所定上下長に設定され、その下端側に、タンク本体とその支持脚とを連結している前記ボルト・ナットによって共締め連結可能とする取付け機構を形成した左右の連結支柱の各上端側を連結してなるものとしたことを特徴とする燃料タンク用保護屋根。
【請求項２】
略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、前後屋根部の２枚を組み合わせてなり、装着の対象となるタンク本体の平面形状を越える面積、形状を確保した天板を有する屋根本体を設け、当該屋根本体の左右端近傍の夫々適所に、所定上下長に設定され、その下端側に、タンク本体とその支持脚とを連結している前記ボルト・ナットによって共締め連結可能とする取付け機構を形成した左右の連結支柱の各上端側を連結してなるものとしたことを特徴とする燃料タンク用保護屋根。
【請求項３】
略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、装着の対象となるタンク本体の平面形状を越える面積、形状を確保した天板と、該天板下面適所の左右端間に渡り、一体的に形成された梁部とを有する屋根本体を設け、当該屋根本体の左右端近傍の夫々適所に、所定上下長に設定され、その下端側に、タンク本体とその支持脚とを連結している前記ボルト・ナットによって共締め連結可能とする取付け機構を形成した左右の連結支柱の各上端側を、燃料タンクの左右幅寸法に対応可能とする幅調節機構を介して連結してなるものとしたことを特徴とする燃料タンク用保護屋根。
【請求項４】
取付け機構が、燃料タンクに対する装着高さを上下移動、調節可能とするよう、連結支柱の下端側の所定上下範囲に渡って、複数のボルト用装着孔を穿孔したものとしてなる、請求項１ないし３何れか一項記載の燃料タンク用保護屋根。
【請求項５】
幅調節機構が、連結支柱の上端側を、梁部に沿う棟方向所定幅範囲内でスライド移動自在且つ任意位置で梁部に対して仮固定可能な摺動調節部と、該摺動調節部とは別に設けられて連結支柱の上端側を、屋根本体の梁部以外の適所に対して棟方向の任意位置に強固に仮固定可能とする仮固定部とからなる、請求項３記載の燃料タンク用保護屋根。
【発明の詳細な説明】
【技術分野】
【０００１】
この発明は、燃料用のタンクに関連するあらゆる分野をその技術対象分野とするものであって、屋外に設置される液体燃料用のタンクを製造する分野は勿論のこと、その製造に必要とする設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野、その他現時点で想定できない新たな分野までと、関連しない技術分野はない程である。                                                                                                    
【背景技術】
【０００２】
（視  点）
一般家庭に設置されている石油給湯器やＦＦストーブ等は、頻繁な給油作業や不注意による燃料切れを避けると共に、大量の燃料を屋内に持ち込まないといった目的から、屋外に設置された２００リットル未満のタンクから燃料の供給を受ける構造とすることが多く、このような燃料タンクは、略矩形器状にプレス成型された亜鉛鍍金鋼板製のタンク前部とタンク後部とを、互いに周縁フランジ部分で接合、一体化して密閉容器状のタンクとし、同タンクの左右側フランジ部分夫々に、下側所定範囲を前後開脚状に形成した支持脚の上側部分をボルト・ナットによって連結した上、左右支持脚の各前後下端部分を、屋外設置箇所に設けられたコンクリート基礎上の各対応箇所に予め突設されているアンカーボルトに対して固定、立設した状態に設置されるものであり、タンク上面の適所には、開閉キャップを有する給油口や油量計表示部分等が夫々設けられ、同タンク下面には、給湯器やストーブ等への配管を接続するためのストレーナバルブやポリタンクへの小出しを可能とする開閉バルブ等が設けられたものとなっている。
【０００３】
この従前からの屋外設置用の燃料タンクは、防錆塗装が施されてそれなりに良好な外観を呈するよう形成されているが、年間を通じて屋外に曝されてしまうため、日々の気温や湿度の変化によってタンク内に結露を生じたり、風雨に曝されて塗膜や鍍金が傷み、露出した金属部分が錆びてしまうことを避けることができず、タンク内部に錆びを発生させてししまったときには、早めに新しいタンクに交換するようにしないと給湯器やストーブの故障の原因となり、それ相応の修理費用を負担しなければならないこととなってしまう虞れもあり、このような事態を回避するためにも、常日頃の水抜き点検に加えてタンク自体の早期交換を心掛ける必要があり、一般家庭にとってはその経済的負担が大きなものとなっていた。
【０００４】
こうした弊害を解消しようと、屋外設置用の燃料タンクに雨避け用の屋根や側壁を取り付け、タンクが風雨雪等に直接曝されるのを防ぐようにして雨水がタンク内に浸入するのを阻止すると共に、夏期の炎天による加熱や、冬期の放射冷却現象による結露などを防止するために、直射日光を避けるようにしたり、断熱性が確保されようにしてタンク内の水の発生やタンク内外の鍍金、塗装の劣化等を抑え、錆びの発生を極力防止するようにして燃料タンクの寿命を延ばす試みが様々になされており、例えば、特開平６−２４０８９４号公報に開示された、屋根部材の両側に側面部材を配置させ、各側面部材の間に少なくとも一の支柱を支持させて、支柱と側面部材とによって形成される複数の前面開口に、複数の開閉パネルを順次蝶番で回動可能に連結した前面パネルを取り付けてなる「ガスボンベ収納ボックス」永田発明や、特開平７−２２４５４９号公報の、鉄および鋼を用いて組み立てた骨組みに屋根を取り付け、必要に応じて周囲の一面以上を囲むことを可能とし、ボイラーおよびボイラータンクを保護するものとした「ボイラーガード」竹端発明等に代表されるとおりである。
【０００５】
しかし、それら従前からの技術の何れもが、様々な寸法で製造されている屋外タンクを支障無く収容するため、燃料タンクの周囲地面に支柱や壁面等を立設するようにしたものばかりであり、そのためどうしても大型化してしまい、都市部のように周囲スペースに余裕が無い場合には、屋根の設置が不可能となるケースが多く、さらに、当然のことながら屋根用の支柱自体にも確りとした基礎工事が必要となり、比較的高額の費用を費やさざるを得ないというのが実情であった。                                                                                    
【特許文献１】（１）特開平６−２４０８９４号公報  （２）特開平７−２２４５４９号公報
【発明の開示】
【発明が解決しようとする課題】
【０００６】
（問題意識）
こうした実情から、この発明は、以上のような従前までのものの構造上の制約から、それらの設置費が嵩み、しかも場合によってはスペース上から設置すら不可能な場合も生じてしまうなどして、こうした燃料タンクへの屋根設置による有効性が高いことは承知していたとしても中々採用するまでには至らず、普及が中々進まないという現状にあり、こうした状況下が続く限り、個々の燃料タンク毎に個別に対応するよう設計、製造された専用屋根だけの販売となって各タンク型式毎に少量生産せざるを得ず、当然高額な価格設定となってしまい、しかも在庫管理も繁雑となって一旦在庫切れになってしまうと、次期製造まで待たなければ設置ができない等々といった不都合を生じてしまうことから、少しでも低廉なもので希望すれば何時でも入手できて種々の燃料タンクでも簡便に適応、装着可能とする屋外灯油タンク用の簡易屋根の開発が待望視されていることに着目した。
【０００７】
（発明の目的）
そこで、この発明は、燃料タンクの設置スペース内に設置可能であり、しかも屋根設置のための基礎工事を一切不要とし、比較的簡便な取付け工事によって即座に設置することができるようにした屋外タンク用の簡易屋根を実現することはできないものかとの判断から、逸速くその開発、研究に着手し、長期に渡る試行錯誤と幾多の試作、実験とを繰り返してきた結果、ここにきて遂に新規な構造の燃料タンク用保護屋根を実現化することに成功したものであり、以下では、図面に示すこの発明を代表する実施例と共に、その構成を詳述していくこととする。                                                                                          
【課題を解決するための手段】
【０００８】
（発明の構成）
図面に示すこの発明を代表する実施例からも明確に理解されるように、この発明に包含される燃料タンク用保護屋根は、基本的に次のような構成から成り立っている。
即ち、略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、装着の対象となるタンク本体の平面形状を越える面積、形状を確保した天板を有する屋根本体を設け、当該屋根本体の左右端近傍の夫々適所に、所定上下長に設定され、その下端側に、タンク本体とその支持脚とを連結している前記ボルト・ナットによって共締め連結可能とする取付け機構を形成した左右の連結支柱の各上端側を連結してなる構成としたことを要旨とする燃料タンク用保護屋根である。
【０００９】
この発明の燃料タンク用保護屋根を、より具体的に示すと、略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、前後屋根部の２枚を組み合わせてなり、装着の対象となるタンク本体の平面形状を越える面積、形状を確保した天板を有する屋根本体を設け、当該屋根本体の左右端近傍の夫々適所に、所定上下長に設定され、その下端側に、タンク本体とその支持脚とを連結している前記ボルト・ナットによって共締め連結可能とする取付け機構を形成した左右の連結支柱の各上端側を連結したものとしてなる燃料タンク用保護屋根であるということができる。
【００１０】
これを換言すると、略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクに対して装着される保護屋根であって、装着の対象となるタンク本体の平面形状を越える面積、形状を確保した天板と、該天板下面適所の左右端間に渡り、一体的に形成された梁部とを有する屋根本体を設け、当該屋根本体の左右端近傍の適所に、所定上下長に設定され、その下端側に、タンク本体とその支持脚とを連結している前記ボルト・ナットによって共締め連結可能とする取付け機構を形成した左右の連結支柱の各上端側を、燃料タンクの左右幅寸法に対応可能とする幅調節機構を介して夫々連結したものとしてなる燃料タンク用保護屋根ということが可能である。                                                                    
【発明の効果】
【００１１】
以上のとおり、この発明の燃料タンク用保護屋根によれば、何よりも先ず、従前までであれば、屋外タンクの周囲に屋根専用の基礎工事を行い、その基礎上に少なくとも前後左右四本の支柱や四枚の側壁を立設させ、その上部に屋根を掛け渡す構造としなければならず、基礎部分の施工を含めると設置作業に長時間を要する上、燃料タンク周辺のスペースに余裕がなければ、設置工事自体を行うことができないという欠点をもつものであったが、燃料タンク自体に装着する構造としたことにより、基礎工事の一切を不要として燃料タンクの設置スペース内に収めることが可能となり、しかも連結支柱の寸法を短縮することができるので部品寸法を抑えて、比較的低廉にて製造、販売可能とすることができるものとなり、さらに、連結支柱を燃料タンク既存の支持脚取付け構造を利用して共締め連結するものとしたことにより、比較的簡便な取付け工事によって即座に設置することができるという秀れた特徴が得られるものである。
【００１２】
また、連結支柱下端側の取付け機構を、所定上下範囲に渡って、複数のボルト用装着孔を穿孔したものとすることにより、燃料タンクに対する装着高さを上下移動、調節可能とし、燃料タンクへの給油作業性や設置場所の上部スペース等の諸種事情に自在に対応することが可能となり、さらに、各連結支柱上端を幅調節機構を介して屋根本体に連結したものとすることにより、単一の設計によって様々な寸法設定がなされた各社の燃料タンクに悉く装着することが可能となり、製造、販売およびその間の在庫管理といった一連の作業を格段に合理化し、大幅な低価格化を実現することができるという大きな効果を発揮するものとなる。                                                                                          
【発明を実施するための最良の形態】
【００１３】
上記したとおりの構成からなるこの発明の実施に際し、その最良もしくは望ましい形態について説明を加えることにする。
天板は、燃料タンクならびに特に給油口や燃料計表示部分等の集中する燃料タンク上部付近を雨雪や霜等から保護し、雨滴や雪解け水のタンク内への浸入や、夏期炎天下での直射日光の照射による温度上昇、冬期の放射冷却や冷風の吹き付け等によるタンク内結露の発生等を防止可能とする屋根本体の主要部分を形成する機能を果たすものであり、防水性およびある程度の遮光性を有する素材から形成され、自然環境下に曝されても十分か耐久性を有する鉄鋼やアルミニウム合金等の金属素材製とするのが望ましいが、アクリルやポリカーボネート等の合成樹脂成型品とすることも可能であり、前後屋根部あるいは左右屋根部の２分割型、あるいは左右屋根部および中央屋根部または前後屋根部およびその中央接続部品等の組み立て式のものとすることが可能であり、分割部品同士の接続部分にシール部品やコーキング等の防水構造を設けたものとすることができる。
【００１４】
屋根本体は、燃料タンク上に装着される屋根部分を形成して、給油口や燃料計表示部分等が、風雨雪に曝されないように保護し、水分の浸入やタンク内の結露を防止する機能を果たすものであり、左右の連結支柱より上側の構造部分の全体を形成するものであって、十分な強度を確保する上で、天板の外に梁部分や破風部分を一体に形成したものとするのが望ましく、梁部分の左右側夫々に、左右連結支柱の取付け高さを調節可能とする取付け機構の一部もしくは全部を設けたり、あるいは、左右連結支柱間の取付け幅を調節可能とする幅調節機構の一部または全部を設けたものとすることが可能である。
【００１５】
連結支柱は、タンク本体上方の所定高さ位置に屋根本体を、簡便に取り付け支持できるものとし、強風や豪雨、豪雪の際にも十分な強度で天板を支持可能とする機能を果たすものであって、プレス成型されたタンク前部とタンク後部との接合部分である周縁フランジ部分の左右側夫々に連結され、タンク本体を地上所定高さ位置に支持する左右支持脚を連結するために設けられたボルト・ナットによって共締めして一体化、可能とする取付け機構を設けたものとしなければならず、適所に屋根本体の支持高さを上下調節および仮固定可能とする高さ調節機能を付加したものとするのが望ましく、さらに適所に取付け幅を変更可能とする幅調節機構を設けたものとすることが可能である。
【００１６】
取付け機構は、左右連結支柱の各下端側を、タンク本体の周縁フランジ部分の左右側の各支持脚の連結のために設けられたボルト・ナットによって共締め可能とする機能を果たし、取付けの対象となる燃料タンクの周縁フランジ部分の左右側に穿孔されたボルト装着孔に対応可能な貫通孔としなければならず、燃料タンクに対する装着高さを上下移動、調節可能とするよう、連結支柱の下端側の所定上下範囲に渡って、複数のボルト用装着孔を穿孔したものとすることが可能であり、しかも連結支柱の屋根本体や燃料タンクへの連結の向きを自由に設定可能とし、さらに左右の連結支柱を互いに交換可能な共通部品とすることができるよう、水平断面Ｌ型や矩形状に形成する等して９０゜異なる向きのボルト用装着孔を適所夫々に穿孔したものとすることができる。
【００１７】
幅調節機構は、天板の左右側に左右連結支柱の上端側を連結する際に、タンク本体の左右幅寸法に合わせて左右の連結支柱間の寸法を自在に調節、仮固定可能とする機能を果たすものであり、屋根本体の梁部等の左右端側所定範囲に渡り、左右方向に沿って複数の水平前後方向に貫通する取付け孔を穿孔するか、あるいは同水平前後方向に貫通し、左右方向に長い長孔を穿孔し、左右方向に適宜移動、調節しながら、左右の連結支柱間の寸法を移動、調節して、ボルト・ナット等の設置現場で簡便且つ確実に締め付け、固定することができ、十分な強度を確保可能な連結金具を用いて仮固定できるものとするのが望ましい。
【００１８】
摺動調節部は、連結支柱の上端側を、屋根本体の下面左右端側の適所に対して棟方向に摺動移動自在且つその移動範囲内の適所において適宜仮固定可能とする機能を果たすものであり、より具体的には、屋根本体裏面または梁部、棟方向に沿って一体化された外の部品等に対して、連結支柱の上端側に設けられた従動および仮固定部分を案内および仮固定可能とする長孔やガイドレール等を形成あるいは取着したものとすることができる。
【００１９】
仮固定部は、屋根本体の下面左右端側の適所に対して摺動調節部によって棟方向所定幅範囲内でスライド移動自在且つ任意位置で仮固定可能とされた連結支柱上端側の適所を、摺動調節部とは別に、棟方向の移動を強固に仮固定可能とする機能を果たすものであり、連結支柱の上端側適所を、屋根本体の任意箇所に対して棟方向に移動不能とするよう強固に仮固定可能とするものとしなければならず、より具体的には、屋根本体下面の適所に棟方向に進退調節可能とする固定可能な送りネジ機構やリンク機構あるいはラックと歯車機構等を利用することが可能である。
【００２０】
当該燃料タンク用保護屋根の装着の対象となる燃料タンクは、一般住宅の軒下等の近接適所に設置され、２００リットル程度の所定量の灯油を収容、保管し、住宅に設置された給湯装置や暖房装置等に必要量の灯油を逐次、自動供給可能とするものであり、より具体的には、略矩形器状にプレス成型されたタンク前部とタンク後部とを、互いの周縁フランジ部分で接合、一体化して密閉容器状のタンク本体を形成し、同タンク本体の左右側フランジ部分夫々に、下側所定範囲を前後開脚状に形成した支持脚の上側部分を、ボルト・ナットによって連結してなり、屋外所定箇所に固定的に立設される燃料タンクであるということができるが、これと略同様の構造に形成された外のタンクであっても同様に装着、利用することが可能なのは勿論である。
以下では、図面に示すこの発明を代表する実施例と共に、その構造について詳述することとする。                                                                                                  
【実施例】
【００２１】
図１の燃料タンク用保護屋根が装着される燃料タンクの斜視図、図２の幅調節機構の斜視図、図３の燃料タンク用保護屋根を装着した燃料タンクの斜視図に示される事例は、タンク前部５２とタンク後部５３とを、互いの周縁フランジ部分５４，５４で接合、一体化して密閉容器状のタンク本体５１を形成し、同タンク本体５１の左右側フランジ部分５４夫々に、下側所定範囲を前後開脚状に形成した支持脚５７，５７の上側部分を、ボルト・ナット５８，５８によって連結してなる燃料タンク５に対して装着される保護屋根１であって、装着対象のタンク本体５１の平面形状を越える面積、形状を確保した天板２１と、該天板２１下面適所の左右端間に渡り、一体的に形成された梁部２２とを有する屋根本体２を設け、当該屋根本体２の左右端近傍の夫々適所に、所定上下長に設定され、その下端側に、タンク本体５１とその支持脚５７，５７とを連結している前記ボルト・ナット５８，５８によって共締め連結可能とする取付け機構３１を形成した左右の連結支柱３，３の各上端側を連結したものとしてなるこの発明に包含される燃料タンク用保護屋根１における代表的な一実施例を示すものである。
【００２２】
当該燃料タンク用保護屋根１の装着の対象となる燃料タンク５は、一般住宅に設置される屋外用の灯油タンク５であって、その灯油タンク５の概略的構造は、一般に、略矩形器状にプレス成型されたタンク前部５２と、該タンク前部５２と略対称形状か、もしくは平板形状かにプレス成型されたタンク後部５３とを、互いの全周縁部分に渡って形成された周縁フランジ部５４，５４が接合、熔接されて液密に一体化されたことにより、密閉容器状のタンク本体５１に形成し、タンク本体５１の上面適所には、開閉キャップを有する給油口５５や油量計表示部分５６等が夫々設けられ、同タンク本体５１の下面には、図示しない給湯器やＦＦストーブ等への配管を接続するためのストレーナバルブやポリタンクへの小出しを可能とする開閉バルブ等が設けられたものとなっており、タンク本体５１の左右側フランジ部分５４夫々に、下側所定範囲を前後開脚状に形成した支持脚５７，５７の上側部分を、複数のボルト・ナット５８，５８によって連結し、予め屋外の設置箇所に形成された基礎コンクリート５９上の各対応箇所夫々に突設されているアンカーボルトに対して各左右支持脚５７，５７の前後下端部分に穿孔された取付け孔を対応させて装着し、各アンカーボルトにナットを螺着することにより、確りと固定された状態に立設するよう設置されたものである。
【００２３】
そして、当該燃料タンク用の保護屋根１は、前記タンク本体５１の平面形状を僅かに越える形状および面積に設定され、前後幅寸法の略中央付近で左右方向に渡る棟形状が設定され、前後方向に下り勾配が設定され、前後端縁の所定寸法範囲が鉛直下方に向けて折曲成型された亜鉛鍍金鋼板製の天板２１を有し、同天板２１の左右端付近下面の夫々に、天板２１の鉛直下方に向けて折曲された前後端縁間に渡る破風部２３，２３が形成されていると共に、該天板２１の棟部分下面の左右端間に渡り、帯状平板製の梁部２２を鉛直状の姿勢に一体化し、破風部２３，２３の天板２１の棟部分に対応する前後幅中央部分に下向きに開口された図示しない組合せ溝部分を形成し、前記梁部２２左右端の対応する箇所に夫々上向きに開口する組合せ溝部分を形成して、互いの組合せ溝部分同士を直交状に交叉させ、一体に結合し、棟部分の梁部２２から左右の破風部２３，２３に渡って概略平面Ｈ型の骨格を形成してなる屋根本体２と、水平断面Ｌ字型の亜鉛鍍金鋼材製であって所定上下長に設定され、その下端側に、前記タンク本体５１とその支持脚５７，５７とを連結するボルト・ナット５８によって共締め連結可能とした取付け機構３１を有する左右の連結支柱３，３とから形成されている。
【００２４】
左右の連結支柱３，３夫々の下端側所定範囲には、水平断面Ｌ字型に開き角度９０゜の配置とされた双方の壁面夫々に、上下に渡る複数のボルト用装着孔３２，３２，……からなる取付け機構３１が穿孔、形成されている。
また、屋根本体２の左右端と、それらに連結される左右連結支柱３，３の各上端側との間には、左右対称構造とした幅調節機構４，４が形成されており、一方の幅調節機構４のみを示すと、図２の図１中の鎖線円Ａで示す部分を裏面側後方から見た幅調節機構の斜視図に示すように、梁部２２の端部側と破風部２３との交叉部分付近に、破風部２３の内側となる梁部２２端部側に、天板２１左右幅方向の所定範囲に渡る左右幅調節長孔４１を天板２１の奥行方向に穿孔すると共に、梁部２２端部側交叉部分近傍の破風部２３には、左右幅調節長孔４１に略直交状に貫通する左右幅仮止め孔４２を穿孔したものとした上、水平断面Ｌ字型に形成された連結支柱３上端側の梁部２２に平行状に装着される壁面部分を幅調節面４４とし、左右幅調節長孔４１に対応する適所に貫通孔４３を穿孔し、また、該幅調節面４４に９０゜の開き角度で配置され、破風部２３に平行状に装着される壁面部分を支持面４５とし、左右幅仮止め孔４２に対応する箇所に貫通孔４３を穿孔したものとして、梁部２２と破風部２３との交叉部分付近に連結可能とする断面形状に設定し、左右幅調節長孔４１とこれに重ね合わせた幅調節面４４とを貫通して仮止め可能とするスライドボルト・ナット４６と、左右幅仮止め孔４２とこれに平行状となる支持面４５とを貫通し、左右幅調節長孔４１に沿ったスライドボルト・ナット４６の摺動を規制可能とする仮止めボルト・ナット４７、および仮止めボルト４７との間に破風部２３を挟み込む破風ロックナット４８ならびに仮止めナット４７との間に支持面４５を挟み込む支柱ロックナット４９を設けてなり、各ボルト・ナットには適宜ワッシャーを装着するのが望ましく止めナットを追加することも可能である。
【００２５】
前記幅調節機構４は、梁部２２の左右幅調節長孔４１、連結支柱３幅調節面４４の貫通孔４３およびスライドボルト・ナット４６によって形成された摺動調節部と、破風部２３の左右幅仮止め孔４２、連結支柱３支持面４５の貫通孔４３、仮止めボルト・ナット４７、破風ロックナット４８および支柱ロックナット４９によって形成された仮固定部とから形成されたものであるということができる。また、破風部２３には、仮止めボルト４７を装着する左右幅仮止め孔４２が、梁部２２を挟んだ前後対称箇所の双方に穿孔され、左右の破風部２３，２３に合計４箇所穿孔、形成されたものとなっている。
【００２６】
（実施例の作用）
以上のとおりの構成からなるこの発明の燃料タンク用保護屋根１は、図１に示したように、屋外に設置された灯油タンク５に装着する際に、左右の連結支柱３，３上端側を屋根本体２の左右端付近に夫々配置させて、図２中に示したように、スライドボルト・ナット４６によって幅調節面４４の貫通孔４３と、これに接合される梁部２２の左右幅調節長孔４１とを貫通し、また、仮止めボルト・ナット４７により、破風部２３の左右幅仮止め孔４２と、これに対峙する支持面４５の貫通孔４３とに装着すると同時に、同仮止めボルト４７の破風部２３と支持面４５との間に配置された中途部であって、破風部２３寄りとなる位置に破風ロックナット４８を、さらに同中途部の支持面４５寄りとなる位置に支柱ロックナット４９を夫々螺合、装着して左右の幅調節機構４，４を仮組みの状態とした後か、あるいは、幅調節機構４，４を組み立てる前段階かの何れかに、図１中に示したとおり、灯油タンク５のタンク本体５１を左右の支持脚５７，５７に連結しているボルト・ナット５８を、一旦取り外して左右の連結支柱３，３下端側の各取付け機構３１，３１を適宜高さに設定するよう複数あるボルト用装着孔３２，３２，……の中から最適のものを選択、配置させて再度、ボルト・ナット５８を装着してタンク本体５１と共に、支持脚５７，５７上端側付近に連結、一体化したものとする。
【００２７】
各連結支柱３，３を燃料タンク５に固定した後に、スライドボルト・ナット４６に螺合された各破風ロックナット４８、支柱ロックナット４９を締め付けて左右各支持面４５の対峙破風部２３に対する左右幅方向の取付け位置を決定し、仮止めボルト・ナット４７を締め付け、さらにスライドボルト・ナット４６を締め付けて梁部２２に対して幅調節面４４を固定したものとすることにより、タンク本体５１の左右幅寸法に対応するよう左右連結支柱３，３間の寸法を自在に調節することが可能であり、しかも水平断面Ｌ字型の連結支柱３，３の上端が屋根本体２に対し、高い剛性をもって強固に一体化されたものとなる。
【００２８】
（実施例の効果）
以上のような構成からなる実施例の燃料タンク用保護屋根１は、前記この発明の効果の項で記載の特徴に加え、屋根本体２が、屋根型に形成された天板２１の前後縁を下向きに折曲し、中央棟下面の左右に渡り梁部２２を、左右端縁前後に破風部２３、２３を夫々一体化したことにより、その強度を格段に向上させて強風や豪雪にも負けない高い信頼性を確保することができるものとなった。
【００２９】
また、屋根本体２の左右端付近と左右連結支柱３，３上端間に夫々幅調節機構４，４を形成し、スライドボルト・ナット４６を有する摺動調節部のみに留まらず、仮止めボルト・ナット４７、破風ロックナット４８および支柱ロックナット４９を有する仮固定部を追加したことにより、左右幅の調節機能に加え、より剛性の高い連結を実現可能とすることができ、しかも破風部２３，２３の棟部分を挟む前後側双方に仮止めボルト・ナット４７装着用の左右幅仮止め孔４２，４２を夫々穿孔し、各連結支柱３，３を水平断面Ｌ字型に形成して、９０゜の開き角度をもつ幅調節面４４と支持面４５とを形成したことにより、屋根本体２への連結支柱３，３の取付け向きを１８０゜単位で変更することが可能となり、灯油タンク５の設置向きに応じて屋根本体２の取付け向きを自在に変更することが可能である。
【００３０】
さらに、各連結支柱３，３の水平断面Ｌ字型に形成された下端側に、互いの角度が９０゜異なる連結ボルト用の複数の貫通孔を穿孔したことにより、左右交換可能な共通部品とすることが可能となり、製造工程や在庫管理の簡素化と、組み立て作業の際の左右部品の間違いを解消することができるという利点を得られることになる。
【００３１】
（結  び）
叙述の如く、この発明の燃料タンク用保護屋根は、その新規な構成によって所期の目的を遍く達成可能とするものであり、しかも製造も容易で、従前からの、燃料タンクの周囲に基礎を築いて支柱や壁面を立設するものに比較して部品点数や部品寸法を小型、軽量化することができる上、格段に簡便な取付け工事によって装着作業の全てを完了することができるので、遥かに経済的に設置することができ、さらに、取付けスペースを最小限に抑えることができるので、屋外タンクの早期の老朽や水の浸入による給湯設備の故障等に悩む利用者に朗報となり、燃料タンクの設置やメンテナンスに携わる燃料販売業者や住宅設備の設計、施工業界等においても高く評価され、広範に渡って利用、普及していくものになると予想される。                                                                                                    
【図面の簡単な説明】
【００３２】
図面は、この発明の燃料タンク用保護屋根の技術的思想を具現化した代表的な一実施例を示すものである。
【図１】燃料タンク用保護屋根を装着する状態を示す斜視図である。
【図２】図１中の鎖線円で囲まれた幅調節機構を示す斜視図である。
【図３】燃料タンク用保護屋根が装着された状態を示す斜視図である。
【符号の説明】
【００３３】
１      燃料タンク用保護屋根
２      屋根本体
２１    同  天板
２２    同  梁部
２３    同  破風部
３      連結支柱
３１    同  取付け機構
３２    同  ボルト用装着孔
４      幅調節機構
４１    同  左右幅調節長孔
４２    同  左右幅仮止め孔
４３    同  貫通孔
４４    同  幅調節面
４５    同  支持面
４６    同  スライドボルト・ナット
４７    同  仮止めボルト・ナット
４８    同  破風ロックナット
４９    同  支柱ロックナット
５      燃料タンク（灯油タンク）
５１    同  タンク本体
５２    同  タンク前部
５３    同  タンク後部
５４    同  周縁フランジ部
５５    同  給油口
５６    同  油量計表示部分
５７    同  支持脚
５８    同  ボルト・ナット
５９    同  基礎コンクリート                                                                    
【図１】
2005221186.tif 000003
【図２】
2005221186.tif 000004
【図３】
2005221186.tif 000005